(57)【特許請求の範囲】
【請求項１】
通帳への印字および磁気記録を制御する記帳制御部と、前記磁気記録を行う磁気記録部との間に着脱可能に接続されるテスト用磁気記録信号発生装置であって、
前記記帳制御部から出力される、前記磁気記録媒体へ書き込む書込データに対応する磁気記録信号を入力される信号入力部と、
前記磁気記録信号に含ませる時間ずれを設定するジッタ時間設定部と、
前記時間ずれを含ませる場所を設定するジッタ箇所設定部と、
前記時間ずれの方向を設定するジッタ方向設定部と、
前記磁気記録信号の前記ジッタ箇所設定部により設定された箇所に、前記ジッタ時間設定部が設定した時間ずれを、前記ジッタ方向設定部により設定された方向に含むテスト用磁気記録信号を生成する信号生成部と、
前記信号生成部が生成した前記テスト用磁気記録信号を前記磁気記録部に出力する信号出力部と、
を有することを特徴とするテスト用磁気記録信号発生装置。
【請求項２】
前記信号生成部は、
前記磁気記録信号の切替わりをカウントするカウンタと、
前記磁気記録信号に前記ジッタ時間設定部で設定された時間ずれを含ませる遅延部と、
を有し、
前記ジッタ箇所設定部は、時間ずれを含ませる前記磁気記録信号における切替わり箇所を設定し、
前記遅延部は、前記カウンタがカウントしたカウント値が前記ジッタ箇所設定部で設定された前記切替わり箇所と一致する箇所に、前記ジッタ方向設定部で設定された時間ずれの方向に前記ジッタ時間設定部で設定された時間ずれを含ませることを特徴とする請求項１に記載のテスト用磁気記録信号発生装置。
【請求項３】
前記遅延部は、
前記時間ずれの方向がプラスの場合には、前記切替わり箇所以降の切替わりを前記時間ずれ分だけ遅延させ、
前記時間ずれの方向がマイナスの場合には、前記切替わり箇所よりも前の切替わりを前記時間ずれ分だけ遅延させることを特徴とする請求項２に記載のテスト用磁気記録信号発生装置。
【請求項４】
前記磁気記録信号は、前記書込データに応じた２種類の信号であり、
前記ジッタ箇所設定部は、前記２種類の信号のいずれかの切替わり箇所を設定し、
前記遅延部は、
前記時間ずれの方向がプラスの場合には、前記２種類の信号の前記切替わり箇所以降の切替わりを前記時間ずれ分だけ遅延させ、
前記時間ずれの方向がマイナスの場合には、前記２種類の信号の前記切替わり箇所より前の切替わりを前記時間ずれ分だけ遅延させることを特徴とする請求項２または請求項３に記載のテスト用磁気記録信号発生装置。
【請求項５】
通帳への印字および磁気記録を制御する記帳制御部と、
前記磁気記録を行う磁気記録部と、
前記記帳制御部と前記磁気記録部との間に着脱可能に接続される請求項１から請求項４のいずれか一項に記載のテスト用磁気記録信号発生装置と、
を有し、
前記テスト用磁気記録信号発生装置は、記帳制御部から入力された磁気記録信号に時間ずれを含ませたテスト用磁気記録信号を出力し、
前記磁気記録部は、前記テスト用磁気記録信号により前記磁気記録を行うことを特徴とするテスト用通帳作成装置。
【請求項６】
通帳への印字および磁気記録を制御する記帳制御部から、前記磁気記録により書き込む書込データに対応する磁気記録信号を入力される信号入力工程と、
前記磁気記録信号に含ませる時間ずれを設定するジッタ時間設定工程と、
前記時間ずれを含ませる場所を設定するジッタ箇所設定工程と、
前記時間ずれの方向を設定するジッタ方向設定工程と、
前記磁気記録信号の前記ジッタ箇所設定工程により設定された箇所に、前記ジッタ時間設定工程において設定した時間ずれを、前記ジッタ方向設定工程において設定された方向に含むテスト用磁気記録信号を生成する信号生成工程と、
前記信号生成工程において生成したテスト用磁気記録信号を前記磁気記録を行う磁気記録部に出力する信号出力工程と、
を有することを特徴とするテスト用磁気記録信号発生方法。
【請求項７】
通帳への印字および磁気記録を制御する記帳制御部から、前記磁気記録により書き込む書込データに対応する磁気記録信号を入力される信号入力処理と、
前記磁気記録信号に含ませる時間ずれを設定するジッタ時間設定処理と、
前記時間ずれを含ませる場所を設定するジッタ箇所設定処理と、
前記時間ずれの方向を設定するジッタ方向設定処理と、
前記磁気記録信号の前記ジッタ箇所設定処理により設定された箇所に、前記ジッタ時間設定処理において設定した時間ずれを、前記ジッタ方向設定処理において設定された方向に含むテスト用磁気記録信号を生成する信号生成処理と、
前記信号生成処理において生成したテスト用磁気記録信号を前記磁気記録を行う磁気記録部に出力する信号出力処理と、
をコンピュータに行わせることを特徴とするテスト用磁気記録信号発生プログラム。
【発明の詳細な説明】
【技術分野】
【０００１】
本発明は、テスト用磁気記録信号発生装置、テスト用通帳作成装置、テスト用磁気記録信号発生方法、およびテスト用磁気記録信号発生プログラムに関する。
【背景技術】
【０００２】
銀行等で用いられる現金自動預け払い機（以下、ＡＴＭ：Ａｕｔｏｍａｔｉｃ  Ｔｅｌｌｅｒ  Ｍａｃｈｉｎｅという）には、記帳機能を有する通帳プリンタ（以下、ＰＰＲ：Ｐａｓｓｂｏｃｋ  Ｐｒｉｎｔｅｒという）が広く使われている。しかし通帳には、銀行などの金融機関固有の仕様があり、特定の金融機関の通帳処理を行うためには、その金融機関固有の仕様に応じた処理を行わなくてはならない。このため、仕様の異なる複数種類の通帳プリンタに共通に使用できる処理ルーチンを作成しておくことがある。このとき、作成した処理ルーチンにより通帳処理が正常に行われるか否かを、仕様の異なる通帳プリンタをそれぞれ用意することなく、一種類の通帳プリンタで行うことができるようにしている例がある（例えば、特許文献１参照）。
【０００３】
ところで、このような通帳を用いる取引時には、通帳裏面に貼り付けてある磁気テープなどの磁気記録媒体に記録された情報（口座番号等）を読み、情報が適正に読取れた場合のみ次の処理に移行する。しかし、ひとつの銀行等にも数社のＡＴＭが稼働しており、例えばＡ社のＡＴＭで取引した通帳をＢ社のＡＴＭで使用するという状況が頻繁に生ずる。このとき、磁気記録媒体に記録された情報はＡＴＭの製造元の各社独自の仕様で読み書きしているため、例えばＡ社のＡＴＭで書き込んだ通帳がＢ社のＡＴＭでは読み込めないという事態が生じることがある。この原因には幾つかの要因があるが、一つの要因として磁気記録時の時間ずれ（以下、ジッタという）が考えられる。
【０００４】
このため、書き込まれた情報のジッタが大きい場合にもその通帳から情報を読取ることが可能な、マージンのある通帳プリンタを出荷することが必要になってきている。このため、任意のジッタを生じさせた磁気データを磁気記録媒体に情報が書き込まれたテスト用の通帳を作成したいという要求がある。
【先行技術文献】
【特許文献】
【０００５】
【特許文献１】特開平９−２４５２２３号公報
【発明の概要】
【発明が解決しようとする課題】
【０００６】
しかしながら、金融機関などで用いられる通帳プリンタにおいて、ジッタを任意に変えて情報を書き込んだ通帳を作成することは、大変困難である。例えば、磁気ヘッドに直結されたスリットディスク板で常に媒体の位置を検出している機構など、ハードウエア、ファームウエア、電気系統等の様々な変更を加えなくてはならず、多大な時間やコストを要するからである。また、専用のテスト用通帳作成装置を作るのも、やはり多大な時間やコストが必要である。
【０００７】
上記課題に鑑み、本発明は、任意のジッタを生じさせた磁気データを書き込むことが可能な安価で簡易なテスト用磁気記録信号発生装置、テスト用通帳作成装置、テスト用磁気記録信号発生方法及びプログラムを提供する。
【課題を解決するための手段】
【０００８】
本発明に係るテスト用磁気記録信号発生装置は、通帳への印字および磁気記録を制御する記帳制御部と、前記磁気記録を行う磁気記録部との間に着脱可能に接続されるテスト用磁気記録信号発生装置であって、前記記帳制御部から出力される、前記磁気記録媒体へ書き込む書込データに対応する磁気記録信号を入力される信号入力部と、前記磁気記録信号に含ませる時間ずれを設定するジッタ時間設定部と、前記時間ずれを含ませる場所を設定するジッタ箇所設定部と、前記時間ずれの方向を設定するジッタ方向設定部と、前記磁気記録信号の前記ジッタ箇所設定部により設定された箇所に、前記ジッタ時間設定部が設定した時間ずれを、前記ジッタ方向設定部により設定された方向に含むテスト用磁気記録信号を生成する信号生成部と、前記信号生成部が生成した前記テスト用磁気記録信号を前記磁気記録部に出力する信号出力部と、を有することを特徴としている。
【０００９】
本発明に係るテスト用通帳作成入出金装置は、通帳への印字および磁気記録を制御する記帳制御部と、前記磁気記録を行う磁気記録部と、前記記帳制御部と前記磁気記録部との間に着脱可能に接続される請求項１から請求項４のいずれか一項に記載のテスト用磁気記録信号発生装置と、を有し、前記テスト用磁気記録信号発生装置は、記帳制御部から入力された磁気記録信号に時間ずれを含ませたテスト用磁気記録信号を出力し、前記磁気記録部は、前記テスト用磁気記録信号により前記磁気記録を行うことを特徴としている。
【００１０】
本発明に係るテスト用磁気記録信号発生方法は、通帳への印字および磁気記録を制御する記帳制御部から、前記磁気記録により書き込む書込データに対応する磁気記録信号を入力される信号入力工程と、前記磁気記録信号に含ませる時間ずれを設定するジッタ時間設定工程と、前記時間ずれを含ませる場所を設定するジッタ箇所設定工程と、前記時間ずれの方向を設定するジッタ方向設定工程と、前記磁気記録信号の前記ジッタ箇所設定工程により設定された箇所に、前記ジッタ時間設定工程において設定した時間ずれを、前記ジッタ方向設定工程において設定された方向に含むテスト用磁気記録信号を生成する信号生成工程と、前記信号生成工程において生成したテスト用磁気記録信号を前記磁気記録を行う磁気記録部に出力する信号出力工程と、を有することを特徴としている。
【００１１】
なお、上述した本発明に係る方法をコンピュータに行わせるためのプログラムであっても、このプログラムを当該コンピュータによって実行させることにより、上述した本発明に係る方法と同様の作用・効果を奏するので、前述した課題が解決される。
【発明の効果】
【００１２】
本発明によれば、任意のジッタを生じさせた磁気データを書き込むことが可能な安価で簡易なテスト用磁気記録信号発生装置、テスト用通帳作成装置、テスト用磁気記録信号発生方法及びプログラムを提供することができる。
【図面の簡単な説明】
【００１３】
【図１】本発明の一実施の形態によるテスト用通帳作成装置の構成を示すブロック図である。
【図２】一実施の形態による中継ボードを介さない場合の磁気記録に関する信号を示した図である。
【図３】一実施の形態による磁気記録信号とプラス方向のジッタを含ませたテスト用磁気記録信号とを示す図である。
【図４】一実施の形態による中継ボードを介した場合の磁気記録に関する信号を示した図である。
【図５】一実施の形態による磁気記録信号とマイナス方向のジッタを含ませたテスト用磁気記録信号とを示す図である。
【図６】一実施の形態によるテスト用通帳作成装置の動作を示すフローチャートである。
【図７】一実施の形態によるテスト用通帳作成装置の動作を示すフローチャートである。
【発明を実施するための形態】
【００１４】
以下、図面を参照しながら、本発明の一実施の形態によるテスト用磁気記録信号発生装置及びテスト用通帳作成装置について説明する。図１は、本発明の一実施の形態によるテスト用通帳作成装置１の構成を示すブロック図である。図１に示すように、本実施の形態によるテスト用通帳作成装置１は、主制御部３、ＰＰＲ制御部５、中継ボード７、ＭＳユニット１９を有している。テスト用通帳作成装置１は、通帳が挿入されると、通帳の例えば裏面に貼り付けられた磁気記録媒体に記録された情報を読み取り、印字や磁気記録媒体に記録された情報の書き換えなどを行う装置である。なお、テスト用通帳作成装置１における磁気記録に関する部分以外の本発明に直接関係のない機能については、図示および詳細説明を省略する。主制御部３は、通帳の磁気記録媒体への書込み及び読出しの指示、通帳への印字の指示、通帳のページめくりの指示などをＰＰＲ制御部５に出力することにより、テスト用通帳作成装置１の動作を制御する。
【００１５】
ＰＰＲ制御部５は、主制御部３の指示により、テスト用通帳作成装置１の各機構への動作指示を行う。すなわち、中継ボード７を介するＭＳユニット１９への磁気書込み及び読出しの指示、図示せぬ印字装置への通帳への印字の指示、印字の場所を特定するための図示せぬ光学センサへの指示、図示せぬ通帳のページめくり機構への指示、図示せぬ新規通帳発行機構への指示等である。
【００１６】
中継ボード７は、ＰＰＲ制御部５から、磁気書き込みのための磁気記録信号を入力され、設定されたジッタを含んだテスト用磁気記録信号をＭＳユニット１９に出力する。中継ボード７は、制御部９、入出力部１０、ＷＤ１／２カウンタ回路１１、遅延回路１３、信号選択部１４、時間設定部１５、ジッタ方向設定部１７、ジッタ箇所設定部１８を有している。制御部９は、中継ボード７の動作を制御する。入出力部１０は、中継ボード７における信号の入出力を行う。ＷＤ１／２カウンタ回路１１は、後述する磁気記録信号ＷＤ１または磁気記録信号ＷＤ２の切替わりの回数を計数する。
【００１７】
遅延回路１３は、磁気記録信号ＷＤ１、ＷＤ２の切替わる所定箇所を所定時間遅らせる回路である。時間設定部１５は、磁気記録信号ＷＤ１、ＷＤ２の切替わりを遅らせる時間を設定する。ジッタ方向設定部１７は、磁気記録信号ＷＤ１または磁気記録信号ＷＤ２において、切替わりの間隔を広げる方向にずらす（以下、プラス方向にずらす、という）か、狭める方向にずらす（以下、マイナス方向にずらす、という）か、を設定する。信号選択部１４、時間設定部１５、ジッタ方向設定部１７、ジッタ箇所設定部１８は、例えばディップスイッチなどを用いることができる。
【００１８】
ＭＳユニット１９は、磁気回路２１、ドライバ２３及びセンサ２５を有しており、中継ボード７から磁気記録信号ＷＤ１、ＷＤ２に基づいたテスト用磁気記録信号を入力されると、通帳の磁気記録媒体に、テスト用磁気記録信号に応じて磁気記録を行う。ＭＳユニット１９は、中継ボード７が接続されていないとき、またはジッタが設定されていないときには、ＰＰＲ制御部５から磁気記録信号ＷＤ１、ＷＤ２を入力され、磁気記録信号ＷＤ１、ＷＤ２に基づき磁気記録を行う。磁気回路２１は、磁気記録信号ＷＤ１、ＷＤ２またはテスト用磁気記録信号を入力されることにより入力された信号に応じた所定の磁力を生成する回路である。ドライバ２３は、磁気回路２１による磁気記録時に、磁気回路２１または通帳を移動させる図示せぬモータを駆動する回路である。センサ２５は、磁気記録の際に、磁気回路２１または通帳の位置を検出する検出器である。なお、テスト用通帳作成装置１において、主制御部３、ＰＰＲ制御部５、ＭＳユニット１９は、既存のＡＴＭ等に備えられた通帳プリンタと同様の構成および動作である。
【００１９】
以上のように構成されたテスト用通帳作成装置１により、ジッタを含んだ磁気記録を行う処理について、図２から図８を参照しながら説明する。
図２は、中継ボード７を介さない場合の、磁気記録に関する信号を示した図である。図２は、データＤ＝「００１０１００１０」の９ビットのデータを記録する場合について示している。ライトパルスクロックＷＣＰは、書込及び読出しの同期を取るためのクロックである。磁気記録信号ＷＤ１、ＷＤ２は、データＤを通帳の磁気記録媒体に記録するための信号であり、ＮＲＺＩ（Ｎｏｎ  Ｒｅｔｕｒｎ  ｔｏ  Ｚｅｒｏ  Ｉｎｖｅｒｔ）方式による信号である。この例では、磁気記録信号ＷＤ１がデータの「０」に対応し、磁気記録信号ＷＤ２はデータの「１」に対応している。この磁気記録信号ＷＤ１、ＷＤ２により、磁気記録媒体に磁化転移線Ｍ１、Ｍ２が記録される。この磁化転移線Ｍ１、Ｍ２を検出した信号を模式的に表したものが信号ＷＤ１（アナログ）、ＷＤ２（アナログ）である。このとき、データＤの各ビットに対応する時間は一定の時間ｔである。
【００２０】
図３は、磁気記録信号ＷＤ１、ＷＤ２と、プラス方向のジッタを含ませたテスト用磁気記録信号ＷＤ１−２、ＷＤ２−２とを示す図である。図３において、磁気記録信号ＷＤ１の切替わりにカウンタ値Ｃ１として（１）〜（６）を付している。磁気記録信号ＷＤ２の切替わりにカウンタ値Ｃ２として（１）〜（４）を付している。なお、カッコ内の番号が各カウンタ値に対応している。
【００２１】
図３は、磁気記録信号ＷＤ１の（２）の立ち上がりをΔｔ１遅らせる場合、すなわちプラス方向にΔｔ１のジッタを含ませる場合について示している。このとき、磁気記録信号ＷＤ１のカウンタ値Ｃ１が（２）になった時点以降の切替わりは全てΔｔ１遅らせ、カウンタ値Ｃ１の（２）に対応する１ビット分の時間間隔だけを変化させる。このとき、同様に、カウンタ値Ｃ１＝２になった時点以降の磁気記録信号ＷＤ２の切替わりもΔｔ１遅らせ、磁気記録信号ＷＤ１と磁気記録信号ＷＤ２とが時間的に同期するようにする。この磁気記録信号ＷＤ１−２、ＷＤ２−２により、磁化転移線Ｍ１−２、Ｍ２−２が記録される。以上により、時間Δｔ１のプラス方向のジッタを有する磁気記録が行われる。
【００２２】
図４は、図３の例について図２と同様に表しており、中継ボード７を介した場合の、磁気記録に関する信号を示した図である。図２と重複する信号については同一の番号を付し詳細説明を省略する。図４は、図２と同様に、データＤ＝「００１０１００１０」の９ビットのデータを記録する場合について示している。テスト用磁気記録信号ＷＤ１−２、ＷＤ２−２は、データＤに基づいてジッタを含ませたデータを通帳の磁気記録媒体に記録するための信号である。これは図３に示したテスト用磁気記録信号ＷＤ１−２、ＷＤ２−２であり、カウンタ値Ｃ１＝２に対応する信号がΔｔのプラス方向のジッタを有している。この磁気記録信号ＷＤ１−２、ＷＤ２−２により、磁気記録媒体に磁化転移線Ｍ１−２、Ｍ２−２が記録される。この磁化転移線Ｍ１−２、Ｍ２−２を検出した信号を模式的に表したものが信号ＷＤ１−２（アナログ）、ＷＤ２−２（アナログ）である。このとき、データＤの２ビット目の「０」に対応する時間が時間ｔ＋Δｔ１となっている。
【００２３】
図５は、磁気記録信号ＷＤ１、ＷＤ２と、マイナス方向のジッタを含ませたテスト用磁気記録信号ＷＤ１−３、ＷＤ２−３とを示す図である。図３において、磁気記録信号ＷＤ１の切替わりにカウンタ値Ｃ１として（１）〜（６）を付している。磁気記録信号ＷＤ２の切替わりにカウンタ値Ｃ２として（１）〜（４）を付している。図３は、磁気記録信号ＷＤ１のカウンタ値Ｃ１が（３）に対応する時間をΔｔ２短縮する場合、すなわちマイナス方向にΔｔ２のジッタを含ませる場合について示している。このとき、磁気記録信号ＷＤ１のカウンタ値Ｃ１が（３）より前の切替わりは全てΔｔ２遅らせ、カウンタ値Ｃ１の（３）に対応する１ビット分の時間だけ時間ｔ−Δｔ２に変化させる。このとき、同様にカウンタ値Ｃ１＝３になるより前に検出された磁気記録信号ＷＤ２の切替わりもΔｔ２ずつ遅らせ、磁気記録信号ＷＤ１と磁気記録信号ＷＤ２とが時間的に同期するようにする。この磁気記録信号ＷＤ１−３、ＷＤ２−３により、磁化転移線Ｍ１−３、Ｍ２−３が記録される。以上により、時間Δｔ２のマイナス方向のジッタを有する磁気記録が行われる。
【００２４】
続いて、図６、図７を参照しながら、本実施の形態によるテスト用磁気記録信号発生装置の動作についてさらに詳細に説明する。図６、図７は、本実施の形態によるテスト用通帳作成装置１の動作を示すフローチャートである。図６に示すように、まず中継ボード７では、信号選択部１４によりジッタを含ませる信号を選択し、時間設定部１５により、選択した信号に含ませるジッタの時間を設定する。また、ジッタ方向設定部１７により、プラス方向とマイナス方向のいずれにずらすか設定し、ジッタ箇所設定部１８により、選択した信号におけるジッタ箇所に対応するカウンタ値、すなわち、選択した磁気記録信号の何番目の切替わりに対応する時間を変化させるかを表すカウンタ設定値を設定する。
【００２５】
例えば、図３の例の場合には、信号選択部１４により磁気記録信号ＷＤ１を選択し、時間設定部１５により時間Δｔ１を設定し、ジッタ方向設定部１７によりプラス方向と設定し、ジッタ箇所設定部１８により、カウンタ設定値＝２と設定する。図５の例の場合には、信号選択部１４により磁気記録信号ＷＤ１を選択し、時間設定部１５により時間Δｔ２を設定し、ジッタ方向設定部１７によりマイナス方向と設定し、ジッタ箇所設定部１８により、カウンタ設定値＝３と設定する。制御部９は、これらの設定値を読み込む（Ｓ１０１）。
【００２６】
ＰＰＲ制御部５によりＭＳユニット１９に書き込み開始が指示され、磁気回路２１がセンサ２５により位置検出されながらドライバ２３により所定位置に移動し、書込開始可能になるまで待機する（Ｓ１０２：ＮＯ）。書込開始可能になり動作が開始できる状態になると（Ｓ１０２：ＹＥＳ）、制御部９は、ＷＤ１／２カウンタ回路１１をゼロにリセットする（Ｓ１０３）。このとき磁気記録信号ＷＤ１、ＷＤ２のそれぞれに対応するカウンタ値がリセットされる。ＰＰＲ制御部５から、磁気記録信号ＷＤ１、ＷＤ２が入出力部１０を介して入力されると、制御部９は、磁気記録信号ＷＤ１、ＷＤ２のいずれかに切替わりがあったか否かを監視する。切替わりを検出すると（Ｓ１０４：ＹＥＳ）、制御部９は、該当する信号のＷＤ１／２カウンタ回路１１によるカウント値に１を加え（Ｓ１０５）、現在のＷＤ１／２カウンタ回路１１のカウント値が、ジッタ箇所のカウンタ設定値と同じか否かを判別する（Ｓ１０６）。
【００２７】
Ｓ１０６で、ＷＤ１／２カウンタ回路１１の値がジッタ箇所のカウンタ設定値と異なる場合には（Ｓ１０６：ＮＯ）、ジッタ方向設定部１７により設定されたジッタ方向がマイナスであるか否かを判別する（Ｓ１０７）。設定されているジッタ方向がプラスの場合には（Ｓ１０７：ＮＯ）、Ｓ１０４に戻る（例えば、図３の例の場合）。設定されているジッタ方向がマイナスの場合には（Ｓ１０７：ＹＥＳ）、磁気記録信号ＷＤ１、ＷＤ２のいずれかの検出された切替わりを、時間設定部１５により設定された時間（図５の例の場合ならば、Δｔ２）遅延回路１３により遅延させ（Ｓ１０８）、Ｓ１０４に戻る。Ｓ１０４からＳ１０８の処理を、Ｓ１０６でＷＤ１／２カウンタ回路１１の値が、ジッタ箇所のカウンタ設定値と同じであると判別されるまで繰り返す。すなわち、図３の場合ならば、ＷＤ１／２カウンタ回路１１において磁気記録信号ＷＤ１のカウント値Ｃ１＝２になるまで、図５の例の場合ならば、カウント値Ｃ１＝３になるまで繰り返す。
【００２８】
Ｓ１０６で、現在のＷＤ１／２カウンタ回路１１の値が、ジッタ箇所のカウンタ設定値と同じ場合には（Ｓ１０６：ＹＥＳ）、図７の処理に進み、ジッタ方向設定部１７により設定されたジッタ方向がマイナスであるか否かを判別する（Ｓ１１０）。設定されているジッタ方向がプラスの場合には（Ｓ１１０：ＮＯ）、磁気記録信号ＷＤ１、ＷＤ２のうちの切替わりが検出された信号を、時間設定部１５により設定された時間、遅延回路１３により遅延させ（Ｓ１１１）、Ｓ１１２に進む（例えば、図３の例の場合）。設定されているジッタ方向がマイナスの場合には（Ｓ１１０：ＹＥＳ）、そのままＳ１１２に進む（例えば、図５の例の場合）。
【００２９】
Ｓ１１２では、制御部９は、磁気記録信号ＷＤ１、ＷＤ２のいずれかに切替わりがあったか否かを監視し、切替わりを検出すると（Ｓ１１２：ＹＥＳ）、Ｓ１１０に戻る。切替わりがなければ（Ｓ１１２：ＮＯ）、制御部９は、ＰＰＲ制御部５からの指示により動作終了するか否か判別し、動作終了しない場合には（Ｓ１１３：ＮＯ）、Ｓ１１２に戻る。動作終了する場合には、処理を終了する（Ｓ１１３：ＹＥＳ）。動作終了後は、図１の破線で示したように、ＭＳユニット１９からＰＰＲ制御部５へ、テスト用磁気記録信号ＷＤ１−２、ＷＤ２−２等による磁気記録により記録された磁化転移線Ｍ１−２、Ｍ２−２等の読取結果を送信するようにしてもよい。
【００３０】
以上説明したように、本発明の一実施の形態によるテスト用通帳作成装置１においては、ＰＰＲ制御部５と、ＭＳユニット１９との間に着脱可能に接続される中継ボード７を設ける。中継ボード７は、ＰＰＲ制御部５側から、ＭＳユニット１９で磁気記録を行うためのデータに対応した磁気記録信号ＷＤ１、ＷＤ２を入力される。中継ボード７では、制御部９が、信号選択部１４、時間設定部１５、ジッタ方向設定部１７、ジッタ箇所設定部１８で設定された設定値を読み取る。ＷＤ１／２カウンタ回路１１で磁気記録信号ＷＤ１、ＷＤ２、の切替わりをカウントし、カウントしたカウント値と、信号選択部１４、時間設定部１５、ジッタ方向設定部１７、ジッタ箇所設定部１８による設定値とに応じて遅延回路１３が所定の遅延を行い、ジッタを含ませたテスト用磁気記録信号ＷＤ１−２、ＷＤ２−２、ＷＤ１−３、ＷＤ２−３等を入出力部１０を介して出力する。
【００３１】
以上のように、本実施の形態による中継ボード７は、既存の通帳プリンタに備えられたＰＰＲ制御部５とＭＳユニット１９との間に接続することができ、磁気記録信号ＷＤ１、ＷＤ２の任意の箇所に任意の方向にジッタを含ませた信号をＭＳユニット１９に出力することにより、任意のジッタを含んだ磁気記録を行なうことができる。よって、任意のジッタを含んだ記録が行われた磁気記録媒体を備えた通帳を作成することができる。
【００３２】
また、ジッタの設定および変更を容易に行なうことができる。よって、ジッタに対し通帳プリンタがどの程度の許容範囲を有しているのかを検査したり、所望のジッタ許容範囲を有する通帳プリンタを製造したりするためのテスト用の通帳を作成することが可能となる。しかも、既存の通帳プリンタに対し、中継ボード７を接続するだけでよいので、安価で長い製造時間も必要としない。さらに、電源や入出力端子の調整を行うことにより、簡単に多種の既存の通帳プリンタに対し中継ボード７を流用することも可能になる。
【００３３】
なお、上記実施の形態において、中継ボード７は、本発明のテスト用磁気記録信号発生装置の一例であり、入出力部１０は、信号入力部および信号出力部の一例であり、遅延回路１３および制御部９は、信号生成部の一例であり、時間設定部１５は、ジッタ時間設定部の一例である。ＭＳユニット１９は、本発明の磁気記録部の一例であり、ＰＰＲ制御部５は、記帳制御部の一例である。
【００３４】
なお、本発明は、以上に述べた実施の形態に限定されるものではなく、本発明の要旨を逸脱しない範囲内で種々の構成または実施形態を採ることができる。例えば、上記実施の形態においては、２種類の磁気記録信号ＷＤ１、ＷＤ２を用いる例について説明したが、磁気記録信号は１種類のみを用いるものでもよい。ＷＤ１／２カウンタ回路１１は、信号選択部１４で設定された磁気記録信号ＷＤ１、ＷＤ２信号の双方の切替わりをカウントする例について説明したが、信号選択部１４で選択された磁気記録信号のみの切替わりをカウントするような構成にしてもよい。テスト用磁気記録信号に含ませるジッタ箇所、時間、方向については、時間設定部１５、ジッタ方向設定部１７、ジッタ箇所設定部１８により任意に指定する例について説明したが、例えば、最初に検出された切替わりに予め決められた方向および時間のジッタを含ませるなど、はじめから設定しておくようにしてもよい。また、テスト用通帳作成装置１の各部の構成については上記に限定されず、同様の作用および効果を奏するものであれば本発明の範囲と了解される。
【符号の説明】
【００３５】
１      テスト用通帳作成装置
３      主制御部
５      ＰＰＲ制御部
７      中継ボード
９      制御部
１０    入出力部
１１    ＷＤ１／２カウンタ回路
１３    遅延回路
１４    信号選択部
１５    時間設定部
１７    ジッタ方向設定部
１８    ジッタ箇所設定部
１９    ＭＳユニット
２１    磁気回路
２３    ドライバ
２５    センサ
【図１】
0005498983.tif 000002
【図２】
0005498983.tif 000003
【図５】
0005498983.tif 000004
【図６】
0005498983.tif 000005
【図７】
0005498983.tif 000006
【図３】
0005498983.tif 000007
【図４】
0005498983.tif 000008